(57)【要約】【課題】  要求される接続機能が変わっても容易に対応可能な光ケーブル接続用クロージャ及び光配線システムを提供する。【解決手段】  光ケーブル接続用クロージャ１８は筐体２１を有し、この筐体２１のモジュール収納部２２には、複数の接続モジュール２３がクロージャ本体１９の底面に対して立てられた状態で幅方向に沿って配列（収納）されている。接続モジュール２３は、直方体盤状のモジュール本体２７を有し、このモジュール本体２７の一端面には、ＭＴコネクタ２８，２９が上下に複数ずつ取り付けられている。モジュール本体２７内には、各ＭＴコネクタ２８，２９同士を接続する光接続部３０が配置されている。モジュール収納部２２は、接続モジュール２３とは接続形態（機能）が異なる他種類の接続モジュールを収納可能である。【選択図】  図５
2008224998.tif 000002
【特許請求の範囲】
【請求項１】
モジュール収納部を有する筐体と、
前記モジュール収納部に出し入れ自在に収納され、第１光ファイバと第２光ファイバとを接続する接続モジュールとを備え、
前記接続モジュールは、モジュール本体と、前記モジュール本体に取り付けられ、前記第１光ファイバ及び前記第２光ファイバとそれぞれ接続される第１コネクタ及び第２コネクタと、前記モジュール本体内に設けられ、前記第１コネクタと前記第２コネクタとを接続する光接続部とを有し、
前記モジュール収納部は、前記モジュール本体の構造が同一であり前記光接続部の接続機能が異なる複数種類の前記接続モジュールを収納可能とするように構成されていることを特徴とする光ケーブル接続用クロージャ。
【請求項２】
前記光接続部は、前記第１コネクタと前記第２コネクタとを直線接続する機能、前記第１コネクタと前記第２コネクタとを心数変換して接続する機能、前記第１コネクタと前記第２コネクタとを光分岐させて接続する機能の何れかを有することを特徴とする請求項１記載の光ケーブル接続用クロージャ。
【請求項３】
前記第１コネクタ及び前記第２コネクタは、前記モジュール本体の一端部に設けられており、
前記モジュール収納部は、前記第１コネクタ及び前記第２コネクタが前記筐体の前面側を向くように前記接続モジュールを前記筐体に対して縦置きにした状態で収納する構造を有していることを特徴とする請求項１または２記載の光ケーブル接続用クロージャ。
【請求項４】
前記第１コネクタは、前記モジュール本体の一端部に設けられ、前記第２コネクタは、前記モジュール本体の他端部に設けられており、
前記モジュール収納部は、前記第１コネクタ及び前記第２コネクタが前記筐体の前面に対して左右両側を向くように前記接続モジュールを前記筐体に対して縦置きにした状態で収納する構造を有していることを特徴とする請求項１または２記載の光ケーブル接続用クロージャ。
【請求項５】
架空において局側光ケーブルと加入者側光ケーブルとの間を光配線する光配線システムであって、
前記局側光ケーブルと接続される第１光ケーブルと、
前記加入者側光ケーブルと接続される第２光ケーブルと、
前記局側光ケーブルと前記第１光ケーブルとを接続する局側クロージャと、
前記加入者側光ケーブルと前記第２光ケーブルとを接続する加入者側クロージャと、
前記第１光ケーブルと前記第２光ケーブルとを接続する中間クロージャとを備え、
前記局側クロージャ、前記加入者側クロージャ及び前記中間クロージャは、請求項１〜４のいずれか一項記載の光ケーブル接続用クロージャで構成されていると共に、互いに異なる種類の前記接続モジュールを有していることを特徴とする光配線システム。
【発明の詳細な説明】
【技術分野】
【０００１】
本発明は、光ケーブル同士を接続するための光ケーブル接続用クロージャ、及び光ケーブル接続用クロージャを備えた光配線システムに関するものである。
【背景技術】
【０００２】
従来の光ケーブル接続用クロージャとしては、例えば特許文献１に記載されているものが知られている。特許文献１に記載の光ケーブル接続用クロージャは、クロージャ本体内に設けられたトレイ収納ケースと、このトレイ収納ケースに挿脱自在に収納され、下層トレイと上層トレイとを積み重ねてなるドロップ心線用トレイとを備えている。下層トレイ及び上層トレイには、光ファイバ心線を導出入する心線導出入部と、光ファイバ心線同士を接続したコネクタを収納するコネクタ収納部と、光ファイバ心線と接続される光スプリッタを収納するスプリッタ収納部と、光ファイバ心線の余長を収納する心線余長収納部とが設けられている。
【特許文献１】特開２００３−２１５３５５号公報
【発明の開示】
【発明が解決しようとする課題】
【０００３】
光ケーブルを用いたネットワークの中には、集線局から加入者宅までの間の３箇所のケーブル接続点（き線点、配線点、引落点）に光ケーブル接続用クロージャを設置し、各クロージャにおいて光ケーブルを分岐させることにより、集線局を起点としてツリー状に光ケーブルを配線するＦＴＴＨ（Fiber To The Home）というものがある。
【０００４】
このようなＦＴＴＨネットワークでは、集線局やクロージャに光スプリッタを配置し、１心の光信号を最大３２分配して加入者宅に伝送するというＰＯＮ（Passive Optical Network）システムが普及している。また、集線局側の光ケーブルは多心テープ型の光ファイバ心線を内蔵しているのが一般的であるが、加入者引き込み用の光ケーブルとの接続は単心単位で行われるため、何れかのクロージャで単心分離を行う必要がある。
【０００５】
以上のことから、光ケーブル接続用クロージャに要求される接続機能としては、各ケーブル接続点で全く異なるものとなる。現状では、各ケーブル接続点において、それぞれ要求される接続機能に応じた異なる構造を有する専用のクロージャを設置している。しかし、この場合には、クロージャに要求される接続機能が変更されたときの対応が非常に難しく、将来的に想定される光配線システムの変更に対処することができない。
【０００６】
本発明の目的は、要求される接続機能が変わっても容易に対応可能な光ケーブル接続用クロージャ及び光配線システムを提供することである。
【課題を解決するための手段】
【０００７】
本発明の光ケーブル接続用クロージャは、モジュール収納部を有する筐体と、モジュール収納部に出し入れ自在に収納され、第１光ファイバと第２光ファイバとを接続する接続モジュールとを備え、接続モジュールは、モジュール本体と、モジュール本体に取り付けられ、第１光ファイバ及び第２光ファイバとそれぞれ接続される第１コネクタ及び第２コネクタと、モジュール本体内に設けられ、第１コネクタと第２コネクタとを接続する光接続部とを有し、モジュール収納部は、モジュール本体の構造が同一であり光接続部の接続機能が異なる複数種類の接続モジュールを収納可能にするように構成されていることを特徴とするものである。
【０００８】
このような光ケーブル接続用クロージャにおいては、モジュール本体の構造が同一であり光接続部の接続機能が異なる複数種類の接続モジュールが筐体のモジュール収納部に出し入れ自在に収納可能である。従って、光ケーブル接続用クロージャに要求される接続機能が変更された場合には、例えば要求される接続機能に適合する種類の接続モジュールを、既設の接続モジュールに替えて筐体のモジュール収納部に収納すれば良い。このとき、接続モジュールのモジュール本体には第１コネクタ及び第２コネクタが設けられているので、第１光ケーブル及び第２光ケーブルをコネクタ接続することで、接続モジュールの入れ替え作業が簡単に行える。これにより、光ケーブル接続用クロージャに要求される接続機能の変更に容易に対応可能となる。
【０００９】
好ましくは、光接続部は、第１コネクタと第２コネクタとを直線接続する機能、第１コネクタと第２コネクタとを心数変換して接続する機能、第１コネクタと第２コネクタとを光分岐させて接続する機能の何れかを有する。
【００１０】
このように光接続部の接続機能として直線接続機能、心数変換機能及び光分岐機能の何れかを有する３種類の接続モジュールを用いることにより、例えば局側光ケーブルと加入者側光ケーブルとの間で複数形態の光配線システムを構築することができる。
【００１１】
また、好ましくは、第１コネクタ及び第２コネクタは、モジュール本体の一端部に設けられており、モジュール収納部は、第１コネクタ及び第２コネクタが筐体の前面側を向くように接続モジュールを筐体に対して縦置きにした状態で収納する構造を有している。
【００１２】
このような構成においては、接続モジュールを筐体のモジュール収納部に配列状態で複数収納することができる。このため、例えば局側光ケーブルと加入者側光ケーブルとの間に構築される光配線システムでは、光ファイバの心数が多い局側光ケーブルと接続される光ケーブル接続用クロージャに適したものとなる。
【００１３】
また、第１コネクタは、モジュール本体の一端部に設けられ、第２コネクタは、モジュール本体の他端部に設けられており、モジュール収納部は、第１コネクタ及び第２コネクタが筐体の前面に対して左右両側を向くように接続モジュールを筐体に対して縦置きにした状態で収納する構造を有していても良い。
【００１４】
このような構成においては、筐体のモジュール収納部に１つの接続モジュールだけを収納する場合には、筐体を小型・薄型構造とすることができる。従って、例えば局側光ケーブルと加入者側光ケーブルとの間に構築される光配線システムでは、単心の加入者側光ケーブルと接続される光ケーブル接続用クロージャに適したものとなる。
【００１５】
また、本発明は、架空において局側光ケーブルと加入者側光ケーブルとの間を光配線する光配線システムであって、局側光ケーブルと接続される第１光ケーブルと、加入者側光ケーブルと接続される第２光ケーブルと、局側光ケーブルと第１光ケーブルとを接続する局側クロージャと、加入者側光ケーブルと第２光ケーブルとを接続する加入者側クロージャと、第１光ケーブルと第２光ケーブルとを接続する中間クロージャとを備え、局側クロージャ、加入者側クロージャ及び中間クロージャは、上述した光ケーブル接続用クロージャで構成されていると共に、互いに異なる種類の接続モジュールを有していることを特徴とするものである。
【００１６】
このような光配線システムにおいては、局側クロージャ、加入者側クロージャ及び中間クロージャとして、上述した光ケーブル接続用クロージャが使用される。従って、局側クロージャ、加入者側クロージャ及び中間クロージャに要求される接続機能が変更された場合には、例えば要求される接続機能に適合する種類の接続モジュールに交換することで、容易に対応可能となる。
【発明の効果】
【００１７】
本発明によれば、光ケーブル接続用クロージャに要求される接続機能の変更があっても、新たに光ケーブル接続用クロージャの設計及び製造を行うことなく、容易に対応することができる。これにより、将来的に想定される光配線システムの変更に十分対処することが可能となる。
【発明を実施するための最良の形態】
【００１８】
以下、本発明に係る光ケーブル接続用クロージャ及び光配線システムの好適な実施形態について図面を参照して詳細に説明する。
【００１９】
図１は、本発明に係る光ケーブル接続用クロージャの実施形態を備えた光配線システムを示す構成図である。同図において、光配線システム１は、局内の伝送装置から複数の加入者宅までを光ケーブルで光配線するシステムである。
【００２０】
光配線システム１は、地下から架空に導き出されたき線ケーブル２と、各加入者宅から延びるドロップケーブル３と、き線ケーブル２と接続される支線ケーブル４と、ドロップケーブル３及び支線ケーブル４と接続される準支線ケーブル５とを備えている。
【００２１】
き線ケーブル２及び支線ケーブル４は、図２に示すように、中心部に抗張力体６が設けられたスペーサ７を有し、このスペーサ７には、複数（ここでは５つ）の螺旋状の溝部（スロット）８が形成されている。各スロット８内には、複数枚（ここでは５枚）の４心光ファイバテープ心線（単に４心テープ心線という）９が配置されている。スペーサ７には、ポリエチレン（ＰＥ）等で形成されたケーブル外被１０で覆われている。
【００２２】
ドロップケーブル３は、図３に示すように、支持線１１と、単心の光ファイバ心線１２と、この光ファイバ心線１２の両側に配置された１対の抗張力体１３とを有している。これらの支持線１１、光ファイバ心線１２及び各抗張力体１３は、ＰＥ等からなるシース１４で一括被覆されている。
【００２３】
準支線ケーブル５は、図４に示すように、複数本（ここでは８本）の単心の光ファイバ心線１５と、これらの光ファイバ心線１５の両側に配置された１対の抗張力体１６とを備えている。光ファイバ心線１５は、２段に配列されている。各光ファイバ心線１５及び各抗張力体１６は、ＰＥ等からなるシース１７で一括被覆されている。
【００２４】
き線ケーブル２と支線ケーブル４は、き線点においてき線クロージャ１８を介して接続されている。き線点とは、光ケーブルが地下から架空へ立ち上がるポイントのことである。
【００２５】
き線クロージャ１８は、図５に示すように、箱型のクロージャ本体１９及び扉２０からなる筐体２１を有している。扉２０は、クロージャ本体１９の下端部に回動自在に支持され、クロージャ本体１９に対して開閉可能である。クロージャ本体１９は、モジュール収納部２２を有している。モジュール収納部２２には、複数の接続モジュール２３がクロージャ本体１９の底面に対して立てられた状態（縦置き状態）で幅方向（左右方向）に沿って配列されている。
【００２６】
具体的には、モジュール収納部２２には、前面引き出し式の収納ラック（図示せず）が配置されている。そして、各接続モジュール２３は、その収納ラックに前面側（扉２０側）から抜き差し自在に収納されている。接続モジュール２３は、収納ラックに収納された状態では、例えばネジや挿抜ボード等の固定手段によって収納ラックに固定される。
【００２７】
クロージャ本体１９の一端部には、き線ケーブル２の端部のケーブル外被１０を除去して取り出された４心テープ心線９を導入するための導入口を有するケーブル導入部２４が設けられている。クロージャ本体１９の他端部には、支線ケーブル４の端部のケーブル外被１０を除去して取り出された４心テープ心線９を導入するための導入口を有するケーブル導入部２５が設けられている。筐体２１はプラスチック等で形成されているが、ケーブル導入部２４，２５は、シール性・防水性を確保すべくゴム等で形成されている。
【００２８】
クロージャ本体１９の背面には、架空に設置された吊り線（図示せず）にき線クロージャ１８を保持・固定するための２つの取付具２６が設けられている。取付具２６は、例えばＬ字状板と平板とで吊り線を挟み込んだ状態でネジ止めすることにより、き線クロージャ１８を吊り線に取り付けるものである。
【００２９】
接続モジュール２３は、図５及び図６に示すように、直方体盤状のモジュール本体２７を有し、モジュール本体２７の一端面には、４心のＭＴコネクタ２８，２９が上下に複数（ここでは５つ）ずつ取り付けられている。
【００３０】
モジュール本体２７内には、各ＭＴコネクタ２８，２９同士を接続する光接続部３０が配置されている。光接続部３０は、各ＭＴコネクタ２８と各ＭＴコネクタ２９とをそれぞれ光ファイバ３１で直線接続する機能を有している。
【００３１】
このような接続モジュール２３は、ＭＴコネクタ２８，２９が筐体２０の前面側を向くようにモジュール収納部２２に収納される。そして、ＭＴコネクタ２８には、き線ケーブル２の４心テープ心線９がコネクタ接続され、ＭＴコネクタ２９には、支線ケーブル４の４心テープ心線９がコネクタ接続される。これにより、き線ケーブル２の４心テープ心線９と支線ケーブル４の４心テープ心線９とが接続モジュール２３を介して接続されることとなる。
【００３２】
支線ケーブル４と準支線ケーブル５は、配線点において配線クロージャ３２を介して分岐接続されている。
【００３３】
配線クロージャ３２は、図７に示すように、箱型のクロージャ本体３３及び扉３４からなる筐体３５を有している。筐体３５は、上記き線クロージャ１８の筐体２０と同じ構造をなしている。クロージャ本体３３はモジュール収納部３６を有し、このモジュール収納部３６には、接続モジュール３７と複数の接続モジュール３８とがクロージャ本体３３の底面に対して立てられた状態で幅方向に沿って配列されている。モジュール収納部３６における接続モジュール３７，３８の収納構造は、上記のモジュール収納部２２における接続モジュール２３の収納構造と全く同じである。
【００３４】
クロージャ本体３３の一端部には、支線ケーブル４の中間部分のケーブル外被１０を除去して取り出された４心テープ心線９を導入するための導入口を有するケーブル導入部３９が設けられている。クロージャ本体３３の他端部には、準支線ケーブル５の端部のシース１７を除去して取り出された８本の単心の光ファイバ心線１５を導入するための導入口を有するケーブル導入部４０が設けられている。また、図７では図示していないが、支線ケーブル４は、ケーブル導入部３９，４０を通ってクロージャ本体３３内をスルーしている（図１参照）。なお、ケーブル導入部３９，４０は、上記のケーブル導入部２４，２５と同様にゴム等で形成されている。
【００３５】
クロージャ本体３３の背面には、配線クロージャ３２を吊り線（図示せず）に保持・固定するための２つの取付具４１が設けられている。取付具４１の構造は、上記の取付具２６と同様である。
【００３６】
接続モジュール３７は、図７及び図８（ａ）に示すように、モジュール本体４２を有している。モジュール本体４２は、上述した接続モジュール２３のモジュール本体２７と同じ構造及び寸法を有している。モジュール本体４２の一端面には、４心ＭＴコネクタ４３と複数（ここでは４つ）の単心コネクタ４４とが上下に取り付けられている。単心コネクタ４４としては、例えばＳＣコネクタやＦＡＳコネクタ等が使用される。
【００３７】
モジュール本体４２内には、ＭＴコネクタ４３と各単心コネクタ４４とを接続する光接続部４５が配置されている。光接続部４５は、ＭＴコネクタ４３と各単心コネクタ４４とを光ファイバ４６により４心−単心変換（心数変換）させて接続する機能を有している。
【００３８】
接続モジュール３８は、図７及び図８（ｂ）に示すように、上記のモジュール本体４２と同じ構造及び寸法のモジュール本体４７を有している。モジュール本体４７の一端面には、単心コネクタ４８と複数（ここでは８つ）の単心コネクタ４９とが上下に取り付けられている。単心コネクタ４８，４９としては、上記の単心コネクタ４４と同じものが使用される。
【００３９】
モジュール本体４７内には、単心コネクタ４８と各単心コネクタ４９とを接続する光接続部５０が配置されている。光接続部５０は、１つの光入力を複数（ここでは８つ）の出力に分岐させる光スプリッタ（光分岐器）５１を含んでおり、単心コネクタ４８と各単心コネクタ４９とを光ファイバ５２により光分岐させて接続する機能を有している。
【００４０】
接続モジュール３７は、ＭＴコネクタ４３及び単心コネクタ４４が筐体３５の前面側を向くようにモジュール収納部３６に収納され、接続モジュール３８は、単心コネクタ４８，４９が筐体３５の前面側を向くようにモジュール収納部３６に収納される。そして、ＭＴコネクタ４３には、支線ケーブル４の４心テープ心線９がコネクタ接続され、各単心コネクタ４９には、準支線ケーブル５の各光ファイバ心線１５がそれぞれコネクタ接続される。また、単心コネクタ４４と単心コネクタ４８とが接続用光ファイバ５３を介してコネクタ接続される。これにより、支線ケーブル４の４心テープ心線９と準支線ケーブル５の各光ファイバ心線１５とが接続モジュール３７、接続用光ファイバ５３及び接続モジュール３８を介して接続されることとなる。
【００４１】
準支線ケーブル５とドロップケーブル３は、引落し点において引落しクロージャ５４を介して分岐接続されている。
【００４２】
引落しクロージャ５４は、図９に示すように、箱型のクロージャ本体５５及び扉５６からなる筐体５７を有している。扉５６は、クロージャ本体５５の下端部に回動自在に支持され、クロージャ本体５５に対して開閉可能である。筐体５７は、き線クロージャ１８の筐体２１に比べて小型・薄型となっている。
【００４３】
クロージャ本体５５は、１つの接続モジュール５８を出し入れ自在に収納するためのモジュール収納部５９を有している。接続モジュール５８は、クロージャ本体５５の底面に対して立てられた状態（縦置き状態）で、例えばネジやフック等の固定手段によってクロージャ本体５５の後部内面５５ａに貼り付けられている。
【００４４】
クロージャ本体５５の一端部には、準支線ケーブル５の中間部分のシース１７を除去して取り出された各光ファイバ心線１５を導入するための導入口を有するケーブル導入部６０が設けられ、クロージャ本体５５の他端部には、ドロップケーブル３を導入するための導入口を有するケーブル導入部６１が設けられている。また、図９では図示していないが、準支線ケーブル５は、ケーブル導入部６０，６１を通ってクロージャ本体５５内をスルーしている（図１参照）。なお、ケーブル導入部６０，６１は、上記のケーブル導入部２４，２５と同様にゴム等で形成されている。
【００４５】
クロージャ本体５５の背面には、引落しクロージャ５４を吊り線（図示せず）に保持・固定するための取付具６２が設けられている。取付具６２の構造は、上記の取付具２６と同様である。
【００４６】
接続モジュール５８は、図９及び図１０に示すように、モジュール本体６３を有している。モジュール本体６３も、上述した接続モジュール２３のモジュール本体２７と全く同じ構造及び寸法を有している。モジュール本体６３の一端面には単心コネクタ６４が取り付けられ、モジュール本体５３の他端面には単心コネクタ６５が取り付けられている。単心コネクタ６４，６５としては、上記の単心コネクタ４４と同じものが使用される。
【００４７】
モジュール本体６３内には、単心コネクタ６４，６５同士を光ファイバ６６で直線接続する機能を有する光接続部６７が配置されている。
【００４８】
このような接続モジュール５８は、単心コネクタ６４，６５が筐体５７の前面に対して左右両側を向くようにモジュール収納部５９に収納される。そして、単心コネクタ６４には、準支線ケーブル５の光ファイバ心線１５がコネクタ接続され、単心コネクタ６５には、単心のドロップケーブル３がコネクタ接続される。これにより、準支線ケーブル５の光ファイバ心線１５とドロップケーブル３とが接続モジュール５８を介して接続されることとなる。
【００４９】
以上のような光配線システム１においては、き線クロージャ１８、配線クロージャ３２及び引落しクロージャ５４のケーブル接続部分がモジュール化され、更にコネクタ接続可能な構成となっているので、ケーブル接続作業が簡単に行えるようになり、作業時間を短縮することができる。
【００５０】
図１１は、本発明に係る光ケーブル接続用クロージャの実施形態を備えた他の光配線システムを示す構成図である。図中、図１に示す光配線システムと同一の部材には同じ符号を付し、その説明を省略する。
【００５１】
同図に示す光配線システム７０では、き線ケーブル２と支線ケーブル４は、き線点においてき線クロージャ７１を介して接続されている。
【００５２】
き線クロージャ７１は、図１２に示すように、上述したき線クロージャ１８と同様の筐体２１を有し、この筐体２１のモジュール収納部２２には、複数の接続モジュール７２がクロージャ本体１８の底面に対して立てられた状態で幅方向に沿って配列されている。
【００５３】
接続モジュール７２は、図１２及び図１３に示すように、上述した接続モジュール２３と同じ構造及び寸法のモジュール本体７３を有している。モジュール本体７３の一端面には、４心ＭＴコネクタ７４と複数（ここでは８つ）の４心ＭＴコネクタ７５とが上下に取り付けられている。
【００５４】
モジュール本体７３内には、ＭＴコネクタ７４，７５同士を接続する光接続部７６が配置されている。光接続部７６は、４つの光スプリッタ５１（前述）を含んでおり、ＭＴコネクタ７４と各ＭＴコネクタ７５とを光ファイバ７７により光分岐集約して接続する機能を有している。
【００５５】
このような接続モジュール７２は、ＭＴコネクタ７４，７５が筐体２０の前面側を向くようにモジュール収納部２２に収納される。そして、ＭＴコネクタ７４には、き線ケーブル２の４心テープ心線９がコネクタ接続され、各ＭＴコネクタ７５には、支線ケーブル４の４心テープ心線９がコネクタ接続される。これにより、き線ケーブル２の４心テープ心線９と支線ケーブル４の４心テープ心線９とが接続モジュール７２を介して接続されることとなる。
【００５６】
支線ケーブル４と準支線ケーブル５は、配線点において配線クロージャ７８を介して分岐接続されている。
【００５７】
配線クロージャ７８は、図１４に示すように、上述した配線クロージャ３２と同様の筐体３５を有し、この筐体３５のモジュール収納部３６には、複数の接続モジュール３７（図８（ａ）参照）がクロージャ本体３３の底面に対して立てられた状態で幅方向に沿って配列されている。
【００５８】
接続モジュール３７は、４心ＭＴコネクタ４３及び単心コネクタ４４が筐体３５の前面側を向くようにモジュール収納部３６に収納される。そして、ＭＴコネクタ４３には、支線ケーブル４の４心テープ心線９がコネクタ接続され、各単心コネクタ４４には、準支線ケーブル５の各光ファイバ心線１５がそれぞれコネクタ接続される。これにより、支線ケーブル４の４心テープ心線９と準支線ケーブル５の各光ファイバ心線１５とが接続モジュール３７を介して接続されることとなる。
【００５９】
準支線ケーブル５とドロップケーブル３とは、図１に示す光配線システム１と同様に、引落し点において引落しクロージャ５４を介して分岐接続されている。
【００６０】
このような光配線システム７０では、光分岐機能を有する接続モジュール７２をき線クロージャ７１に設けたので、き線クロージャに接続される支線ケーブル４の数を増やし、ひいては局に接続される加入者数を増やして、システムの使用効率を高めることができる。
【００６１】
図１５は、本発明に係る光ケーブル接続用クロージャの実施形態を備えた更に他の光配線システムを示す構成図である。図中、図１及び図１１に示す光配線システムと同一の部材には同じ符号を付し、その説明を省略する。
【００６２】
同図に示す光配線システム８０では、き線ケーブル２と支線ケーブル４は、図１に示す光配線システム１と同様に、き線点においてき線クロージャ１８を介して接続されている。また、支線ケーブル４と準支線ケーブル５とは、図１１に示す光配線システム７０と同様に、配線点において配線クロージャ７８を介して分岐接続されている。
【００６３】
準支線ケーブル５とドロップケーブル３とは、引落し点において引落しクロージャ８１を介して分岐接続されている。
【００６４】
引落しクロージャ８１は、図１６に示すように、上記の引落しクロージャ５４と同様の筐体５７を有し、この筐体５７のモジュール収納部５９には、１つの接続モジュール８２がクロージャ本体５５の底面に対して立てられた状態で収納されている。モジュール収納部５９における接続モジュール８２の収納構造は、上記の接続モジュール５８の収納構造と全く同じである。
【００６５】
接続モジュール８２は、図１６及び図１７に示すように、上記の接続モジュール５８と同じ構造及び寸法のモジュール本体８３を有している。モジュール本体８３の一端面には単心コネクタ８４が取り付けられ、モジュール本体８３の他端面には複数（ここでは８つ）の単心コネクタ８５が取り付けられている。
【００６６】
モジュール本体８３内には、単心コネクタ８４と各単心コネクタ８５とを接続する光接続部８６が配置されている。光接続部８６は、光スプリッタ５１（前述）を含み、単心コネクタ８４と各単心コネクタ８５とを光ファイバ８７により光分岐させて接続する。
【００６７】
なお、接続モジュール８２は、上述した接続モジュール５８とは別に専用のモジュールとして作っても良いし、あるいは単心コネクタ８４の取付位置をモジュール本体８３の一端部と他端部とで切り換え可能とすることで、上述した接続モジュール５８と兼用しても良い。
【００６８】
このような接続モジュール８２は、単心コネクタ８４，８５が筐体５７の前面に対して左右両側を向くようにモジュール収納部５９に収納される。そして、単心コネクタ８４には、準支線ケーブル５の光ファイバ心線１５がコネクタ接続され、単心コネクタ８５には、ドロップケーブル３がコネクタ接続される。これにより、準支線ケーブル５の光ファイバ心線１５とドロップケーブル３とが接続モジュール８２を介して接続されることとなる。
【００６９】
このような光配線システム８０では、光分岐機能を有する接続モジュール８２を引落しクロージャ８１に設けたので、多くの加入者宅が密集している領域では、必要以上に支線ケーブル４及び準支線ケーブル５を増やすことなく、システムを有効利用することが可能となる。
【００７０】
以上のように本実施形態にあっては、光コネクタ同士の接続形態（機能）が異なる複数種類の接続モジュール２３，３７，３８，５８，７２，８２は、同じ構造及び寸法のモジュール本体を有している。また、き線クロージャ及び配線クロージャにおける筐体のモジュール収納部は、同じ構造を有している。このため、接続モジュール２３，３７，３８，７２は、き線クロージャ及び配線クロージャの何れにも使用することができ、接続モジュール５８，８２は、引落しクロージャに使用することができる。従って、光配線システムの変更があっても、き線クロージャ、配線クロージャ及び引落しクロージャを、要求される接続機能に応じて最初から設計・製造しなくて済む。
【００７１】
具体的には、図１に示す光配線システムを図１１に示す光配線システムに変更する場合には、き線クロージャ１８の扉２０を開いた状態で、き線ケーブル２の４心テープ心線９と支線ケーブル４の４心テープ心線９とを接続モジュール２３から取り外した後、接続モジュール２３を筐体２１から抜き出す。そして、別の接続モジュール７２を筐体２１のモジュール収納部２２に収納し、き線ケーブル２の４心テープ心線９と支線ケーブル４の４心テープ心線９とを接続モジュール７２にコネクタ接続する。これにより、図１２に示すき線クロージャ７１が構成されるようになる。
【００７２】
また、配線クロージャ３２の扉３４を開いた状態で、準支線ケーブル５の各光ファイバ心線１５を接続モジュール３８から取り外し、接続用光ファイバ５を接続モジュール３７，３８から取り外した後、接続モジュール３８を筐体３５から抜き出す。そして、準支線ケーブル５の各光ファイバ心線１５を接続モジュール３７にコネクタ接続する。これにより、図１４に示す配線クロージャ７８が構成されるようになる。
【００７３】
図１に示す光配線システムを図１５に示す光配線システムに変更する場合には、上記と同様にして、配線クロージャ３２の筐体３５から接続モジュール３８を抜き出し、準支線ケーブル５の各光ファイバ心線１５を接続モジュール３７にコネクタ接続することにより、図１４に示す配線クロージャ７８を構成する。
【００７４】
また、引落しクロージャ５４の扉５６を開いた状態で、準支線ケーブル５の光ファイバ心線１５とドロップケーブル３とを接続モジュール５８から取り外した後、接続モジュール５８を筐体５７から抜き出す。そして、別の接続モジュール８２を筐体５７のモジュール収納部５９に収納し、準支線ケーブル５の光ファイバ心線１５とドロップケーブル３とを接続モジュール８２にコネクタ接続する。これにより、図１６に示す引落しクロージャ８１が構成されるようになる。
【００７５】
このようにき線クロージャ、配線クロージャ及び引落しクロージャに要求される接続機能が変わった場合には、その要求に適した別種類の接続モジュールに入れ替えたり、筐体に収納されている複数種類の接続モジュールのうち要求に適した種類の接続モジュールのみをそのまま残すだけで良い。従って、将来の光配線システムの変更に容易に対処することが可能となる。
【００７６】
なお、本発明は、上記実施形態に限定されるものではない。例えば、上記実施形態は、局内の伝送装置と複数の加入者宅との間に構築される光配線システムに関するものであるが、本発明の光ケーブル接続用クロージャは、他の形態の光配線システムにも適用可能であることは言うまでも無い。
【図面の簡単な説明】
【００７７】
【図１】本発明に係る光ケーブル接続用クロージャの実施形態を備えた光配線システムを示す構成図である。
【図２】図１に示すき線ケーブル及び支線ケーブルの拡大断面図である。
【図３】図１に示すドロップケーブルの拡大断面図である。
【図４】図１に示す準支線ケーブルの拡大断面図である。
【図５】図１に示すき線クロージャの開いた状態の斜視図である。
【図６】図５に示す接続モジュールの概略平面図である。
【図７】図１に示す配線クロージャの開いた状態の斜視図である。
【図８】図７に示す各接続モジュールの概略平面図である。
【図９】図１に示す引落しクロージャの開いた状態の斜視図である。
【図１０】図９に示す接続モジュールの概略平面図である。
【図１１】本発明に係る光ケーブル接続用クロージャの実施形態を備えた他の光配線システムを示す構成図である。
【図１２】図１１に示すき線クロージャの開いた状態の斜視図である。
【図１３】図１２に示す接続モジュールの概略平面図である。
【図１４】図１１に示す配線クロージャの開いた状態の斜視図である。
【図１５】本発明に係る光ケーブル接続用クロージャの実施形態を備えた更に他の光配線システムを示す構成図である。
【図１６】図１５に示す引落しクロージャの開いた状態の斜視図である。
【図１７】図１６に示す接続モジュールの概略平面図である。
【符号の説明】
【００７８】
１…光配線システム、２…き線ケーブル（局側光ケーブル）、３…ドロップケーブル（加入者側光ケーブル）、４…支線ケーブル（第１光ケーブル）、５…準支線ケーブル（第２光ケーブル）、９…４心光ファイバテープ心線（第１光ファイバ、第２光ファイバ）、１５…光ファイバ心線（第１光ファイバ、第２光ファイバ）、１８…き線クロージャ（局側クロージャ、光ケーブル接続用クロージャ）、２１…筐体、２２…モジュール収納部、２３…接続モジュール、２７…モジュール本体、２８…ＭＴコネクタ（第１コネクタ）、２９…ＭＴコネクタ（第２コネクタ）、３０…光接続部、３２…配線クロージャ（中間クロージャ、光ケーブル接続用クロージャ）、３５…筐体、３６…モジュール収納部、３７…接続モジュール、３８…接続モジュール、４２…モジュール本体、４３…ＭＴコネクタ（第１コネクタ）、４４…単心コネクタ（第２コネクタ）、４５…光接続部、４７…モジュール本体、４８…単心コネクタ（第１コネクタ）、４９…単心コネクタ（第２コネクタ）、５０…光接続部、５１…光スプリッタ、５３…接続用光ファイバ（第１光ファイバ、第２光ファイバ）、５４…引落しクロージャ（加入者側クロージャ、光ケーブル接続用クロージャ）、５７…筐体、５８…接続モジュール、５９…モジュール収納部、６３…モジュール本体、６４…単心コネクタ（第１コネクタ）、６５…単心コネクタ（第２コネクタ）、６７…光接続部、７０…光配線システム、７１…き線クロージャ（局側クロージャ、光ケーブル接続用クロージャ）、７２…接続モジュール、７３…モジュール本体、７４…ＭＴコネクタ（第１コネクタ）、７５…ＭＴコネクタ（第２コネクタ）、７６…光接続部、７８…配線クロージャ（中間クロージャ、光ケーブル接続用クロージャ）、８０…光配線システム、８１…引落しクロージャ（加入者側クロージャ、光ケーブル接続用クロージャ）、８２…接続モジュール、８３…モジュール本体、８４…単心コネクタ（第１コネクタ）、８５…単心コネクタ（第２コネクタ）、８６…光接続部。
【図１】
2008224998.tif 000003
【図２】
2008224998.tif 000004
【図３】
2008224998.tif 000005
【図４】
2008224998.tif 000006
【図５】
2008224998.tif 000007
【図６】
2008224998.tif 000008
【図７】
2008224998.tif 000009
【図８】
2008224998.tif 000010
【図９】
2008224998.tif 000011
【図１０】
2008224998.tif 000012
【図１１】
2008224998.tif 000013
【図１２】
2008224998.tif 000014
【図１３】
2008224998.tif 000015
【図１４】
2008224998.tif 000016
【図１５】
2008224998.tif 000017
【図１６】
2008224998.tif 000018
【図１７】
2008224998.tif 000019